(57)【要約】【課題】本発明は、１個のトラックボール本体の各ポートに複数の外部装置を接続し、各ポートの切替によって各外部装置を選択的に操作することを目的とする。【解決手段】本発明によるトラックボール装置は、トラックボール(1A)を有するトラックボール本体(1)に切替可能な複数のポート(P1〜Pn)を設け、各ポート(P1〜Pn)に外部装置(20a〜20n)を接続し、各ポート(P1〜Pn)を切替ることにより、1台のトラックボール本体(1)で複数の外部装置(20a〜20n)を選択的に操作できる構成である。【選択図】図１
2007018085.tif 000002
【特許請求の範囲】
【請求項１】
トラックボール(1A)を回転自在に設けたトラックボール本体(1)と、前記トラックボール本体(1)に設けられた複数のポート(P1〜Pn)と、前記トラックボール本体(1)に設けられ前記各ポート(P1〜Pn)を選択的に切替るためのポート切替スイッチ(11)とを備え、前記各ポート(P1〜Pn)に接続された複数の外部装置(20a〜20n)に対し、前記ポート切替スイッチ(11)の切替えにより、前記トラックボール本体(1)の前記トラックボール(1A)の動作に基づく出力信号を入力することができるように構成したことを特徴とするトラックボール装置。
【請求項２】
前記各ポート(P1〜Pn)には、機能切替スイッチ(10〜10n)が設けられ、前記機能切替スイッチ(10〜10n)の切替により、各ポート(P1〜Pn)はＰＳ２通信部(PS2)とＵＳＢ通信部(USB)の何れかに切替ができるように構成したことを特徴とする請求項１記載のトラックボール装置。
【請求項３】
前記外部装置(20a〜20n)は、パソコンよりなることを特徴とする請求項１又は２記載のトラックボール装置。
【請求項４】
前記トラックボール本体(1)には、前記出力信号の信号内容を切替るための選択スイッチ(30,31)が設けられていることを特徴とする請求項１ないし３の何れかに記載のトラックボール装置。
【発明の詳細な説明】
【技術分野】
【０００１】
本発明は、トラックボール装置に関し、特に、１個のトラックボール本体に複数のパソコン等の外部装置を接続し、各外部装置を切替ることにより、１個のトラックボール本体からの出力信号を用いて複数の外部装置を作動させるようにするための新規な改良に関する。
【背景技術】
【０００２】
従来、用いられていたこの種のトラックボール装置としては、例えば、トラックボールを内蔵したマウス装置として、特許文献１及び２に開示された構成を挙げることができる。
前述の各特許文献１及び２に開示されたマウス装置は、基本的には図３で示されるように構成され、トラックボール本体１のポート２にはパソコン等の外部装置３の外部ポート４がライン５を介して接続されている。
【０００３】
前述の構成においては、１台のトラックボール本体１と外部装置３は１対１で対応し、複数の外部装置３を作動させるには、各々トラックボール装置を接続させる必要がある。
【０００４】
【特許文献１】特開平１１−３５３１０５号公報
【特許文献２】特開平１１−１４９３４６号公報
【発明の開示】
【発明が解決しようとする課題】
【０００５】
従来のトラックボール装置は、以上のように構成されているため、次のような課題が存在していた。
すなわち、トラックボール本体には１個のポートのみしか設けられていないため、１台のトラックボール本体には１台の外部装置しか接続することができず、複数の外部装置を用いる場合には、複数のトラックボール本体を用意しなければならず、机上において複数のトラックボール本体を配設することはスペースを必要とし、使用上、極めて不便であった。
【課題を解決するための手段】
【０００６】
本発明によるトラックボール装置は、トラックボールを回転自在に設けたトラックボール本体と、前記トラックボール本体に設けられた複数のポートと、前記トラックボール本体に設けられ前記各ポートを選択的に切替るためのポート切替スイッチとを備え、前記各ポートに接続された複数の外部装置に対し、前記ポート切替スイッチの切替えにより、前記トラックボール本体の前記トラックボールの動作に基づく出力信号を入力することができるようにした構成であり、また、前記各ポートには、機能切替スイッチが設けられ、前記機能切替スイッチの切替により、各ポートはＰＳ２通信部とＵＳＢ通信部の何れかに切替ができるようにした構成であり、また、前記外部装置は、パソコンよりなる構成であり、また、前記トラックボール本体には、前記出力信号の信号内容を切替るための選択スイッチが設けられている構成である。
【発明の効果】
【０００７】
本発明によるトラックボール装置は、以上のように構成されているため、次のような効果を得ることができる。
すなわち、トラックボール本体に複数のポートが設けられ、各ポートにはパソコンからなる外部装置が接続され、トラックボール本体に各ポートを切替るための切替スイッチが設けられていることにより、この切替スイッチの切替によって１個のトラックボール本体からの出力信号を各外部装置に切替供給することができ、複数の外部装置を１個のトラックボール本体で駆動させることができ、省スペース化及び省配線化を達成することができる。
【発明を実施するための最良の形態】
【０００８】
本発明は、１個のトラックボール本体に複数のパソコン等の外部装置を接続し、各外部装置を切替ることにより、１個のトラックボール本体からの出力信号を用いて複数の外部装置を作動させるようにしたトラックボール装置を提供することを目的とする。
【実施例】
【０００９】
以下、図面と共に本発明によるトラックボール装置の好適な実施の形態について説明する。
尚、従来例と同一又は同等部分には、同一符号を用いて説明する。
図１において、符号１で示されるものは、図２のように１個のトラックボール１Ａを有する１台のトラックボール本体であり、このトラックボール本体１には、第１〜第ｎ機能切替スイッチ１０ａ〜１０ｎ及び第１〜第ｎポートＰ１〜Ｐｎが設けられ、さらに、前記各ポートＰ１〜Ｐｎはポート切替スイッチ１１によって切替られるように構成されている。
【００１０】
前記ポート切替スイッチ１１は、前記トラックボール本体１の座標信号からなる出力信号を前記各ポートＰ１〜Ｐｎの何れを介して外部に出力するかを切替るためのスイッチであり、前記各機能切替スイッチ１０〜１０ｎは、前記各ポートＰ１〜ＰｎがＰＳ２通信部ＰＳ２かＵＳＢ通信部ＵＳＢかを切替るためのスイッチである。尚、ＰＳ２はパソコンのキーボード、マウスを接続するためのポートである。
【００１１】
前記各ポートＰ１〜Ｐｎには、ライン５を介して、パソコンからなる第１〜第ｎ外部装置２０ａ〜２０ｎの外部ポート４に接続され、この各ポート４はＰＳ２通信部ＰＳ２又はＵＳＢ通信部ＵＳＢが各外部装置２０ａ〜２０ｎの種類に応じて設けられている。
【００１２】
前記トラックボール本体１には、トラックボール１Ａを用いて得られる座標信号からなる出力信号の内容を変えるための第１、第２選択スイッチ３０，３１が設けられており、各ポートＰ１〜Ｐｎを介して各外部装置２０ａ〜２０ｎに選択的に供給されるように構成されている。
【００１３】
次に、動作について述べる。図１の構成において、各ポートＰ１〜Ｐｎにパソコンからなる外部装置２０ａ〜２０ｎをライン５を介して接続し、ポート切替スイッチ１１を第１ポートＰ１に切替、さらに第１機能切替スイッチ１０をＵＳＢ通信部ＵＳＢに切替ておくと、前記トラックボール１Ａを用いた出力信号は、第１ポートＰ１からライン５及び外部ポート４を経て第１外部装置２０ａに送られ、この第１外部装置２０ａの操作を行うことができる。
【００１４】
また、第１機能切替スイッチ１０をＵＳＢからＰＳ２通信部ＰＳ２に切替えると、第１外部装置２０ａを第２外部装置に交換してトラックボール本体１による操作を行うことができる。
【００１５】
従って、トラックボール本体１の各ポート切替スイッチ１１で各ポートＰ１〜Ｐｎの位置を切替後、各機能切替スイッチ１０〜１０ｎで各外部装置２０ａ〜２０ｎの内容に応じてＰＳ２通信部ＰＳ２又はＵＳＢ通信部ＵＳＢに切替ることによって、１個のトラックボール本体１のみで複数の種類の異なる外部装置２０ａ〜２０ｎの操作を行うことができる。
【産業上の利用可能性】
【００１６】
本発明は、パソコン以外に、ＰＳ２ポート、ＵＳＢポートを有する各種制御装置のマルチ制御にも適用可能である。
【図面の簡単な説明】
【００１７】
【図１】本発明によるトラックボール装置を示す構成図である。
【図２】図１の要部を示す構成図である。
【図３】従来構成のブロック図である。
【符号の説明】
【００１８】
１    トラックボール本体
１Ａ    トラックボール
Ｐ１〜Ｐｎ    ポート
１１    ポート切替スイッチ
２０ａ〜２０ｎ    外部装置
１０〜１０ｎ    機能切替スイッチ
ＰＳ２    ＰＳ２通信部
ＵＳＢ    ＵＳＢ通信部
３０，３１    選択スイッチ
【図１】
2007018085.tif 000003
【図２】
2007018085.tif 000004
【図３】
2007018085.tif 000005